(57)【特許請求の範囲】
【請求項１】
一対の操作部を対向するように箱型家具両側板の各内側に配設すると共に操作用棒状体の両端部を各操作部に嵌合し各操作部を同時に回動操作することで、各操作部に接続されたリンク機構により天井面が押圧され箱型家具が固定されるようにした可動式箱型家具であって、箱型家具の底板下側に開閉蓋を備えた箱体を設け、当該箱体に操作用棒状体を略水平に収納可能としたことを特徴とする可動式箱型家具。
【発明の詳細な説明】
【０００１】
【発明の属する技術分野】
本発明は、一対の操作部を対向するように箱型家具両側板の各内側に配設すると共に操作用棒状体の両端部を各操作部に嵌合し各操作部を同時に回動操作することで、各操作部に接続されたリンク機構により天井面が押圧され箱型家具が固定されるようにした可動式箱型家具に関するものである。
【０００２】
【従来の技術】
従来から、図１５に示すように、可動式箱型家具は箱型家具（２）両側板（３）に配設した一対の操作部（１）によってリンク機構を操作し、リンク機構により天井面が押圧されることで箱型家具（２）を固定するようにしていた。又、このものは操作部（１）でリンク機構を操作しリンク機構による天井面の押圧を解除する。その際に、両側板（３）に配した各操作部（１）は、操作用棒状体（４）で同時に操作される。
【０００３】
これにより、箱型家具（２）の固定状態と可動状態とを操作部（１）で切替え操作することができる。又、操作用棒状体（４）で同時操作を行うので操作が簡単になる。
【０００４】
【発明が解決しようとする課題】
しかしながら、上記従来の技術においては、操作用棒状体（４）の普段の置き場所に困ることが多々あった。操作用棒状体（４）は各操作部（１）に両端部を嵌合させるので、箱型家具（２）の幅内寸程度の長さは少なくとも必要とされる。このような長さのものを紛失することなく保管するには、何かしらの工夫が必要とされた。即ち、箱型家具（２）とは別の場所に保管しようとすると次第にその保管場所が忘れられてしまい、結局置き場所不明となり紛失してしまう。又、箱型家具（２）の内部、例えば裏板（９）内側に係止して保管しようとすると、その前面に棚板等が配設できなくなってしまうという問題を抱えていた。
【０００５】
本発明は、上記事由に鑑みてなしたもので、その目的とするところは、操作用棒状体を紛失することなく、又、箱型家具内部で棚板等の配設を制限してしまうこともなく、効率よく操作用棒状体を保管することのできる可動式箱型家具を提供することにある。
【０００６】
【課題を解決するための手段】
上記目的を達成するために、本発明の可動式箱型家具にあっては、一対の操作部を対向するように箱型家具両側板の各内側に配設すると共に操作用棒状体の両端部を各操作部に嵌合し各操作部を同時に回動操作することで、各操作部に接続されたリンク機構により天井面が押圧され箱型家具が固定されるようにした可動式箱型家具であって、箱型家具の底板下側に開閉蓋を備えた箱体を設け、当該箱体に操作用棒状体を略水平に収納可能としている。
【０００７】
これにより、操作用棒状体を紛失することなく、又、箱型家具内部で棚板等の配設を制限してしまうこともなく、効率よく操作用棒状体を保管することができる。即ち、箱型家具の底板下側に操作用棒状体を配設するので、箱型家具内部で邪魔になることがない。更に、略水平に収納するようにしているので、棚板を配設する際にも邪魔になることがない。
【００１２】
【発明の実施の形態】
図１乃至図１４は、本発明の一実施の形態の可動式箱型家具を示す説明図である。
【００１３】
この実施の形態の可動式箱型家具は、一対の操作部（１）を対向するように箱型家具（２）両側板（３）の各内側に配設すると共に操作用棒状体（４）の両端部を各操作部（１）に嵌合し各操作部（１）を同時に回動操作することで、各操作部（１）に接続されたリンク機構（５）により天井面が押圧され箱型家具（２）が固定されるようにした可動式箱型家具であって、箱型家具（２）の上下方向端部に操作用棒状体（４）を略水平に収納する収納スペースを設けている。
【００１４】
又、該実施の形態の可動式箱型家具は、収納スペースに収納可能な握り棒（２４）を、操作用棒状体（４）に対し着脱自在に突設するようにしてもいる。
【００１５】
又、該実施の形態の可動式箱型家具は、箱型家具（２）底板（１０）下側に収納スペースを設け、この収納スペースに前後にスライド自在な引出し（２６）を設けてもいる。
【００１６】
図１、２に示すように、本実施の形態の可動式箱型家具は、操作部（１）と連動するリンク機構（５）によりその上端部に設けられた可動幕板（７）を上下動させ、箱型家具（２）の固定状態と可動状態とを切替えるようにしている。操作部（１）は両側板（３）に設けられ、操作用棒状体（４）の両端部を各操作部（１）に嵌合した状態で回動操作される。箱型家具（２）は天板（８）、側板（３）、裏板（９）、底板（１０）、棚板（１１）とを備えている。
【００１７】
図２には側板（３）と、その内側に納まる操作部（１）とリンク機構（５）と縦型棒状体（１２）と仕切り板（１３）とが示されている。操作部（１）は、図６に示すようなもので平面略菱形の板状体であり、その中心部には操作用棒状体（４）の端部が嵌合する操作部嵌合穴（１ａ）が設けられている。
【００１８】
リンク機構（５）はピンで結合される２本のアーム（１４）（１５）と、下側のアーム（１４）中程にピンで結合される制御バー（１６）とで構成される。制御バー（１６）は端部を操作部（１）に対しピンを介して結合されており、操作部（１）の左回転によって操作部（１）側に引き寄せられる。下側のアーム（１４）はその下端部にカム（１７）を有しており、下側のアーム（１４）が操作部（１）側に引き寄せられた際には、図２のＢ部拡大図である図７に示すようにカム（１７）が直立し、カム（１７）下側に当接して設けられた縦型フレーム（１８）が押出され、移動用の車輪（１９）が側板（３）下端縁より突出し、箱型家具（２）が可動状態となるようにしている。
【００１９】
又、リンク機構（５）の上側のアーム（１５）も、操作部（１）の左回転によって操作部（１）側に引き寄せられ、その結果、縦型棒状体（１２）が降下し、天井への押圧が解除される。
【００２０】
又、操作部（１）を右側に回転すると上記と反対の動きが生じ、箱型家具（２）が固定状態となる。
【００２１】
図３、４は側板（３）の詳細を示す。仕切り板（１３）が操作部（１）と配線スペース（２０）との間に納まって操作部（１）と配線スペース（２０）との縁を切っている。この配線スペース（２０）は天井面から引き込んだ電線（２１）を側板（３）内面の電気器具（２２）であるコンセントに導くことができるように操作板（１）を横切って側板（３）内部に配設される。このような配線スペース（２０）を設けることで図５に示すようにＴＶ（２３）を箱型家具（２）の中段に設置する使用方法を提案することができる。即ち、ＴＶ（２３）の設置高さから電気器具（２２）であるコンセントの位置がまず決まる。コンセントに接続されるＴＶ用コードが使用者から見えにくくする為、一般的には箱型家具（２）の下部に電気器具（２２）であるコンセントを配設する。又、屋内電気配線は天井裏に設けられることが多いので電線（２１）は自ずと箱型家具（２）の上方から供給される。このようなシッチュエーションの場合、配線スペース（２０）は操作部（１）を横切って設けられる。本実施の形態の場合には、仕切り板（１３）で配線スペース（２０）と操作部（１）との縁切りを行っているので、断線等のトラブルを心配することなく電気配線することができる。
【００２２】
又、この他にも電気器具（２２）を箱型家具（２）内部を照らす照明器具としても良い。この場合、箱型家具（２）の内部が明るくなり収納物の確認が容易なものとなる。
【００２３】
図８は、操作用棒状体（４）を示している。操作用棒状体（４）は、端部両縁に突出部（４ｃ）を有し、突出部（４ｃ）が操作部嵌合穴（１ａ）と嵌合するようにしている。又、このものは、２本の筒体（４ａ）（４ａ’）を重合接続して形成され、伸縮自在なものとなっている。このものには、握り棒（２４）が突設されている。握り棒（２４）は平面形状をＴ字とし、Ｔ字の水平線に相当する部分に筒体（２４ａ）を備えており、この筒体（２４ａ）を操作用棒状体（４）に重合してスライド自在に配設する。更に、この筒体（２４）には周壁と螺合するネジ（２５）が設けてあり、このネジ（２５）が周壁内部を挿通し操作用棒状体（４）の周壁外面を締めつけることにより握り棒（２４）が所定の位置に固定されるようにしている。
【００２４】
図９は、操作用棒状体（４）の保管形態を示している。箱型家具（２）底板（１０）の下側に前後にスライドする引出し（２６）を設け、操作用棒状体（４）と握り棒（２４）を引出し（２６）内へ収納する。引出し（２６）は図１０乃至図１２に示すように移動用の車輪（１９）と干渉しないように配設する。引出し（２６）の前部には化粧前板（２７）が設けられており、引出し（２６）格納時には箱型家具（２）の化粧幅木としての役目を果たす。
【００２５】
図１３、１４は操作用棒状体（４）の他の保管形態を示し、図１３においては引出しの代りに開閉蓋（２８）を備えた箱体（２９）を底板（１０）下側に設けてなる。図１４においては、引出し（２６）を箱型家具（２）の上端部に設けてなる。
【００２６】
したがって、以上説明した可動式箱型家具によると、操作用棒状体（４）を紛失することなく、又、箱型家具（２）内部で棚板（１１）等の配設を制限してしまうこともなく、効率よく操作用棒状体（４）を保管することができる。即ち、箱型家具（２）の上下方向端部に操作用棒状体（４）を配設するので、箱型家具（２）内部で邪魔になることがない。更に、略水平に収納するようにしているので、棚板（１１）を配設する際にも邪魔になることがない。
【００２７】
又、操作用棒状体（４）の回転操作が容易なものとなる。即ち、握り棒（２４）を突設することで、てこの原理を利用して操作用棒状体（４）を回転させることができる。又、握り棒（２４）も収納スペースに収納可能なものなので、操作用棒状体（４）を使用しない時は握り棒（２４）も収納スペースに収納しておくことができる。
【００２８】
又、操作用棒状体（４）の収納が簡単になる。即ち、箱型家具（２）の上端部に収納スペースを設けてしまうと、操作用棒状体（４）取り出しの際に脚立等が必要とされる。本発明のように箱型家具（２）底板（１０）の下側に収納スペースを設けてしまえば、その必要もなくなり簡単に操作用棒状体（４）を取り出すことができる。又、前後にスライド自在な引出し（２６）を設けているので一層容易に取り出すことができる。
【００２９】
【発明の効果】
上述の如く、本発明によれば、操作用棒状体を紛失することなく、又、箱型家具内部で棚板等の配設を制限してしまうこともなく、効率よく操作用棒状体を保管することができる。又、操作用棒状体の収納が簡単になる。
【図面の簡単な説明】
【図１】本発明の一実施の形態である可動式箱型家具を示す概略図である。
【図２】該可動式箱型家具の側板の透視図である。
【図３】該可動式箱型家具の側板の詳細図である。
【図４】該可動式箱型家具の側板を示す断面図である。
【図５】該可動式箱型家具を示す概略図である。
【図６】該可動式箱型家具の操作部を示す説明図である。
【図７】該可動式箱型家具の図２で示すＢ部の拡大図でリンク機構を示す詳細図である。
【図８】該可動式箱型家具の操作用棒状体を示す説明図である。
【図９】該可動式箱型家具の操作用棒状体の保管形態を示す概略図である。
【図１０】該可動式箱型家具の引出しを示す説明図である。
【図１１】該可動式箱型家具の引出しを示す説明図である。
【図１２】該可動式箱型家具の引出しを示す説明図である。
【図１３】該可動式箱型家具の操作用棒状体の別の保管形態を示す概略図である。
【図１４】該可動式箱型家具の操作用棒状体の別の保管形態を示す概略図である。
【図１５】可動式箱型家具の従来例を示す概略図である。
【符号の説明】
１    操作部
２    箱型家具
３    側板
４    操作用棒状体
５    リンク機構
１０  底板
２４  握り棒
２６  引出し
【図１】
0003603777.tif 000002
【図２】
0003603777.tif 000003
【図３】
0003603777.tif 000004
【図４】
0003603777.tif 000005
【図５】
0003603777.tif 000006
【図６】
0003603777.tif 000007
【図７】
0003603777.tif 000008
【図８】
0003603777.tif 000009
【図９】
0003603777.tif 000010
【図１０】
0003603777.tif 000011
【図１１】
0003603777.tif 000012
【図１２】
0003603777.tif 000013
【図１３】
0003603777.tif 000014
【図１４】
0003603777.tif 000015
【図１５】
0003603777.tif 000016